【手続補正書】
【提出日】平成18年7月25日(2006.7.25)
【手続補正１】
【補正対象書類名】明細書
【補正対象項目名】特許請求の範囲
【補正方法】変更
【補正の内容】
【特許請求の範囲】
【請求項１】  複数の遊技機に並設されるとともに、紙幣の受け入れにより、当該遊技機に対する遊技媒体の貸し出し処理をおこなう貸出処理機と、前記紙幣による入金情報を売上金額として取得する管理サーバとを備えた遊技媒体貸出システムであって、
前記貸出処理機は、
前記紙幣を内部に収納するとともに、当該収納紙幣の取り出しを許容する取り出し許容状態と、取り出しを阻止する取り出し阻止状態の間を切換可能な紙幣収納ユニットと、
前記貸出処理機内に装着された紙幣収納ユニットを取り出し阻止状態に施錠するロック機構部と、
前記ロック機構部により施錠された前記紙幣収納ユニットの解錠を許容する解錠制御手段と、
前記紙幣収納ユニットが取り出し許容状態であるか、取り出し阻止状態にあるかを検知する許容／阻止状態検知手段と、
前記紙幣収納ユニットに収納される紙幣の有無を検知する紙幣検知手段と、
前記許容／阻止状態検知手段および前記紙幣検知手段による検知結果に基づいて、前記紙幣収納ユニット内の紙幣回収状態を判定する紙幣回収判定手段と、
を備えることを特徴とする遊技媒体貸出システム。
【請求項２】  前記紙幣回収判定手段は、前記紙幣収納ユニットが取り出し阻止状態にあるときの許容／阻止状態検知手段による第１の検知出力と、前記紙幣収納ユニットが取り出し許容状態にあるときの第２の検知出力とを取得するとともに、前記第２の検知出力から前記第１の検知出力へ切り換わったときに、前記紙幣検知手段から検知出力を取得し、紙幣有りを検知している場合に、紙幣の未回収があると判定することを特徴とする請求項１に記載の遊技媒体貸出システム。
【請求項３】  前記紙幣回収判定手段は、前記紙幣収納ユニットが取り出し阻止状態にあるときの許容／阻止状態検知手段による第１の検知出力と、前記紙幣収納ユニットが取り出し許容状態にあるときの第２の検知出力とを取得するとともに、
前記第１の検知出力から前記第２の検知出力への切り換わり後、さらに所定時間経過後に、前記紙幣検知手段から検知出力を取得し、紙幣有りを検知している場合に、紙幣の未回収があると判定することを特徴とする請求項１に記載の遊技媒体貸出システム。
【請求項４】  前記貸出処理機は、前記紙幣回収判定手段により紙幣が未回収であると判定された旨を、外部に対して報知する外部報知手段をさらに備えることを特徴とする請求項１、２または３に記載の遊技媒体貸出システム。
【請求項５】  複数の遊技機に並設されるとともに、紙幣の受け入れにより、当該遊技機に対する遊技媒体の貸し出し処理をおこなう貸出処理機と、前記紙幣による入金情報を売上金額として取得する管理サーバとを備えた遊技媒体貸出システムであって、
前記貸出処理機は、
前記紙幣を内部に収納するとともに、当該収納紙幣の取り出しを許容する取り出し許容状態と、取り出しを阻止する取り出し阻止状態の間を切換可能な紙幣収納ユニットと、
前記貸出処理機内に装着された紙幣収納ユニットを取り出し阻止状態に施錠するロック機構部と、
前記ロック機構部により施錠された前記紙幣収納ユニットの解錠を許容する解錠制御手段と、
前記紙幣収納ユニットが取り出し許容状態にあるか、取り出し阻止状態にあるかを検知する許容／阻止状態検知手段と、
前記許容／阻止状態検知手段による検知結果に基づいて、前記紙幣収納ユニットの状態不良を判定する状態不良判定手段と、
を備えることを特徴とする遊技媒体貸出システム。
【請求項６】  前記状態不良判定手段は、前記紙幣収納ユニットが取り出し阻止状態にあるときの許容／阻止状態検知手段による第１の検知出力と、前記紙幣収納ユニットが取り出し許容状態にあるときの第２の検知出力とを取得するとともに、前記第１の検知出力から前記第２の検知出力への切り換わり後、さらに所定時間経過しても、前記第２の検知出力から前記第１の検知出力への切り換わりがないときに、紙幣収納ユニットの取り出し阻止状態への復帰不良があると判定することを特徴とする請求項５に記載の遊技媒体貸出システム。
【請求項７】  前記貸出処理機は、前記状態不良判定手段により紙幣収納ユニットの取り出し阻止状態への復帰不良があると判定された旨を、外部に対して報知する外部報知手段をさらに備えることを特徴とする請求項５または６に記載の遊技媒体貸出システム。
【請求項８】  前記外部報知手段による報知は、前記管理サーバに対しておこなうことを特徴とする請求項４または７に記載の遊技媒体貸出システム。
【請求項９】  前記外部報知手段による報知は、前記貸出処理機に対応して設けられる表示手段による点灯或は点滅による報知であることを特徴とする請求項４または７に記載の遊技媒体貸出システム。
【手続補正２】
【補正対象書類名】明細書
【補正対象項目名】００１１
【補正方法】変更
【補正の内容】
【００１１】
また、請求項２に記載の発明は、請求項１に記載の発明において、前記紙幣回収判定手段は、前記紙幣収納ユニットが取り出し阻止状態にあるときの許容／阻止状態検知手段による第１の検知出力と、前記紙幣収納ユニットが取り出し許容状態にあるときの第２の検知出力とを取得するとともに、前記第２の検知出力から前記第１の検知出力へ切り換わったときに、前記紙幣検知手段から検知出力を取得し、紙幣有りを検知している場合に、紙幣の未回収があると判定することを特徴とする。
【手続補正３】
【補正対象書類名】明細書
【補正対象項目名】００１２
【補正方法】変更
【補正の内容】
【００１２】
また、請求項３に記載の発明は、請求項１に記載の発明において、前記紙幣回収判定手段は、前記紙幣収納ユニットが取り出し阻止状態にあるときの許容／阻止状態検知手段による第１の検知出力と、前記紙幣収納ユニットが取り出し許容状態にあるときの第２の検知出力とを取得するとともに、前記第１の検知出力から前記第２の検知出力への切り換わり後、さらに所定時間経過後に、前記紙幣検知手段から検知出力を取得し、紙幣有りを検知している場合に、紙幣の未回収があると判定することを特徴とする。
【手続補正４】
【補正対象書類名】明細書
【補正対象項目名】００１３
【補正方法】変更
【補正の内容】
【００１３】
また、請求項４に記載の発明は、請求項１、２または３に記載の発明において、前記貸出処理機は、前記紙幣回収判定手段により紙幣が未回収であると判定された旨を、外部に対して報知する外部報知手段をさらに備えることを特徴とする。
【手続補正５】
【補正対象書類名】明細書
【補正対象項目名】００１４
【補正方法】変更
【補正の内容】
【００１４】
また、請求項５に記載の発明は、複数の遊技機に並設されるとともに、紙幣の受け入れにより、当該遊技機に対する遊技媒体の貸し出し処理をおこなう貸出処理機と、前記紙幣による入金情報を売上金額として取得する管理サーバとを備えた遊技媒体貸出システムであって、前記貸出処理機は、前記紙幣を内部に収納するとともに、当該収納紙幣の取り出しを許容する取り出し許容状態と、取り出しを阻止する取り出し阻止状態の間を切換可能な紙幣収納ユニットと、前記貸出処理機内に装着された紙幣収納ユニットを取り出し阻止状態に施錠するロック機構部と、前記ロック機構部により施錠された前記紙幣収納ユニットの解錠を許容する解錠制御手段と、前記紙幣収納ユニットが取り出し許容状態にあるか、取り出し阻止状態にあるかを検知する許容／阻止状態検知手段と、前記許容／阻止状態検知手段による検知結果に基づいて、前記紙幣収納ユニットの状態不良を判定する状態不良判定手段と、を備えることを特徴とする。
【手続補正６】
【補正対象書類名】明細書
【補正対象項目名】００１５
【補正方法】変更
【補正の内容】
【００１５】
また、請求項６に記載の発明は、請求項５に記載の発明において、前記状態不良判定手段は、前記紙幣収納ユニットが取り出し阻止状態にあるときの許容／阻止状態検知手段による第１の検知出力と、前記紙幣収納ユニットが取り出し許容状態にあるときの第２の検知出力とを取得するとともに、前記第１の検知出力から前記第２の検知出力への切り換わり後、さらに所定時間経過しても、前記第２の検知出力から前記第１の検知出力への切り換わりがないときに、紙幣収納ユニットの取り出し阻止状態への復帰不良があると判定することを特徴とする。
【手続補正７】
【補正対象書類名】明細書
【補正対象項目名】００１６
【補正方法】変更
【補正の内容】
【００１６】
また、請求項７に記載の発明は、請求項５または６に記載の発明において、前記貸出処理機は、前記状態不良判定手段により紙幣収納ユニットの取り出し阻止状態への復帰不良があると判定された旨を、外部に対して報知する外部報知手段をさらに備えることを特徴とする。
【手続補正８】
【補正対象書類名】明細書
【補正対象項目名】００１７
【補正方法】変更
【補正の内容】
【００１７】
また、請求項８に記載の発明は、請求項４または７に記載の発明において、前記外部報知手段による報知は、前記管理サーバに対しておこなうことを特徴とする。
【手続補正９】
【補正対象書類名】明細書
【補正対象項目名】００１８
【補正方法】変更
【補正の内容】
【００１８】
また、請求項９に記載の発明は、請求項４または７に記載の発明において、前記外部報知手段による報知は、前記貸出処理機に対応して設けられる表示手段による点灯或は点滅による報知であることを特徴とする。
【手続補正１０】
【補正対象書類名】明細書
【補正対象項目名】００１９
【補正方法】削除
【補正の内容】
【手続補正１１】
【補正対象書類名】明細書
【補正対象項目名】０１２５
【補正方法】変更
【補正の内容】
【０１２５】
また、本発明によれば、前記紙幣回収判定手段は、前記紙幣収納ユニットが取り出し阻止状態にあるときの許容／阻止状態検知手段による第１の検知出力と、前記紙幣収納ユニットが取り出し許容状態にあるときの第２の検知出力とを取得するとともに、前記第２の検知出力から前記第１の検知出力へ切り換わったときに、前記紙幣検知手段から検知出力を取得し、紙幣有りを検知している場合に、紙幣の未回収があると判定するので、紙幣収納ユニット内に収納される紙幣の有無および紙幣の回収忘れ（未回収）を確認する作業を必要としないうえ、紙幣の未回収を有効に防止することができるという効果を奏する。
【手続補正１２】
【補正対象書類名】明細書
【補正対象項目名】０１２６
【補正方法】変更
【補正の内容】
【０１２６】
また、本発明によれば、前記紙幣回収判定手段は、前記紙幣収納ユニットが取り出し阻止状態にあるときの許容／阻止状態検知手段による第１の検知出力と、前記紙幣収納ユニットが取り出し許容状態にあるときの第２の検知出力とを取得するとともに、前記第１の検知出力から前記第２の検知出力への切り換わり後、さらに所定時間経過後に、前記紙幣検知手段から検知出力を取得し、紙幣有りを検知している場合に、紙幣の未回収があると判定するので、紙幣収納ユニット内に収納される紙幣の有無および紙幣の回収忘れ（未回収）を確認する作業を必要としないうえ、紙幣の未回収を有効に防止することができるという効果を奏する。
【手続補正１３】
【補正対象書類名】明細書
【補正対象項目名】０１２７
【補正方法】変更
【補正の内容】
【０１２７】
また、本発明によれば、前記貸出処理機は、前記紙幣回収判定手段により紙幣が未回収であると判定された旨を、外部に対して報知する外部報知手段をさらに備えるので、紙幣収納ユニットの未装着を報知することによりセキュリティの面で有効な遊技媒体貸出システムを実現できるという効果を奏する。
【手続補正１４】
【補正対象書類名】明細書
【補正対象項目名】０１２８
【補正方法】変更
【補正の内容】
【０１２８】
また、本発明によれば、複数の遊技機に並設されるとともに、紙幣の受け入れにより、当該遊技機に対する遊技媒体の貸し出し処理をおこなう貸出処理機と、前記紙幣による入金情報を売上金額として取得する管理サーバとを備えた遊技媒体貸出システムであって、前記貸出処理機は、前記紙幣を内部に収納するとともに、当該収納紙幣の取り出しを許容する取り出し許容状態と、取り出しを阻止する取り出し阻止状態の間を切換可能な紙幣収納ユニットと、前記貸出処理機内に装着された紙幣収納ユニットを取り出し阻止状態に施錠するロック機構部と、前記ロック機構部により施錠された前記紙幣収納ユニットの解錠を許容する解錠制御手段と、前記紙幣収納ユニットが取り出し許容状態にあるか、取り出し阻止状態にあるかを検知する許容／阻止状態検知手段と、前記許容／阻止状態検知手段による検知結果に基づいて、前記紙幣収納ユニットの状態不良を判定する状態不良判定手段とを備えるので、紙幣収納ユニットの未装着を確実に防止できることからセキュリティの面で有効な遊技媒体貸出システムを実現できるという効果を奏する。
【手続補正１５】
【補正対象書類名】明細書
【補正対象項目名】０１２９
【補正方法】変更
【補正の内容】
【０１２９】
また、本発明によれば、前記状態不良判定手段は、前記紙幣収納ユニットが取り出し阻止状態にあるときの許容／阻止状態検知手段による第１の検知出力と、前記紙幣収納ユニットが取り出し許容状態にあるときの第２の検知出力とを取得するとともに、前記第１の検知出力から前記第２の検知出力への切り換わり後、さらに所定時間経過しても、前記第２の検知出力から前記第１の検知出力への切り換わりがないときに、紙幣収納ユニットの取り出し阻止状態への復帰不良があると判定するので、紙幣収納ユニットの未装着を確実に防止できることからセキュリティの面で有効な遊技媒体貸出システムを実現できるという効果を奏する。また、紙幣収納ユニットの突出時、所定の時間は、紙幣の有無検知をしないことから、紙幣の回収作業時間などを考慮した遊技媒体貸出システムを実現できるという効果を奏する。
【手続補正１６】
【補正対象書類名】明細書
【補正対象項目名】０１３０
【補正方法】変更
【補正の内容】
【０１３０】
また、本発明によれば、前記貸出処理機は、前記状態不良判定手段により紙幣収納ユニットの取り出し阻止状態への復帰不良があると判定された旨を、外部に対して報知する外部報知手段をさらに備えるので、紙幣収納ユニットの未装着を確実に報知できることからセキュリティの面で有効な遊技媒体貸出システムを実現できるという効果を奏する。
【手続補正１７】
【補正対象書類名】明細書
【補正対象項目名】０１３１
【補正方法】変更
【補正の内容】
【０１３１】
また、本発明によれば、前記外部報知手段による報知は、前記管理サーバに対しておこなうので、紙幣収納ユニットの未装着を確実に防止できることからセキュリティの面で有効な遊技媒体貸出システムを実現できるという効果を奏する。
【手続補正１８】
【補正対象書類名】明細書
【補正対象項目名】０１３２
【補正方法】変更
【補正の内容】
【０１３２】
また、本発明によれば、前記外部報知手段による報知は、前記貸出処理機に対応して設けられる表示手段による点灯或は点滅による報知であるので、未装着の確認を容易且つ確実におこなえるうえ、セキュリティの面で有効な遊技媒体貸出システムを実現できるという効果を奏する。
【手続補正１９】
【補正対象書類名】明細書
【補正対象項目名】０１３３
【補正方法】削除
【補正の内容】